(57)【要約】      （修正有）【課題】岩塩のミネナルとトルマリン鉱石・黒曜石のマイナスイオン及び遠赤外線により、体内の血液循環を良くしミネナル成分が肌に触れる事により、健康と美容に役立つ風呂湯を提供する。【解決手段】バスポンプ１２をパイプ１０に取り付け、温水を吸い込み口１６から２０の矢印方向に吸い込み、１９から２２の矢印から吹き出し、岩塩及び漢方薬３を溶かす。また吹き出し口１８からトルマリン鉱石９・黒曜石８に吹き出す圧力で衝撃を加える事により健康に良い鉱石特有のイオンが発生する。【選択図】図１
2008149094.tif 000002
【特許請求の範囲】
【請求項１】
家庭用・ホテル用の湯風呂の中に、開発した装置の２３上部容器に（ミネナル成分の含まれた岩塩、又は健康に良い漢方薬類を搬入）し、マイナスイオン発生生成材鉱石を容器の中にセットし、湯壷の湯をバスポンプで循環しながら、人体に必要な岩塩ミネナル・マイナスイオン・遠赤外線を発生させる装置である。
【請求項２】
円筒又は他の容器に小型バスポンプを取り付け容器の中に（請求項１）岩塩・鉱石等を設置し、小型バスポンプの力で（図１の２０から）矢印の方向に、お湯が吸い込まれバスポンプの稼働力でトルマリン鉱石及び黒曜石に衝撃が加わりマイナスイオン、又は、遠赤外線が発生する装置である。
矢印１９上部籠装置の岩塩が溶けてミネナルが発生し、鉱石と緩和しイオン湯となる、そのイオン湯をバスポンプで容器の筒から矢印の２２及び２１方向に吹き出る事により湯壷の湯と混合させる循環装置である。
【請求項３】
長野県和田峠産の黒曜石を永年研究した結果、黒曜石とトルマリン鉱石と混合し、イオンボールを開発し他には無いマイナスイオン又、人体に良い成分が出来たのです。
秋田県の多摩川温泉以上のイオンが開発されたのです、黒曜石イオンボールから出るマイナスイオンは１ボール（Φ１０ｍｍ）当り２７００個１ＣＣ（株式会社佐藤商事形式ＣＯＭ−３０１０ＰＲＯ使用）の測定が出ています。
今回開発された容器からは、上記の佐藤会社の測定で８０００個ＩＣＣ以上のマイナスイオンが発生します。
【請求項４】
今回のマイナスイオン発生方法は、ゲルマニューム鉱石と黒曜石とトルマリン鉱石を粉末にしてミニーボールにして９００度から  １，０００度以下で焼き、セラミックスボールに焼いたものを使用した結果がマイナスイオンが発生する物が完成したのです。
大型に製作し、営業の岩盤浴・サウナ・色々の方法に使用すると良い。
【発明の詳細な説明】
【技術分野】
【０００１】  本発明は湯壷の中のお湯を循環しながら、（岩塩ミネナル・温泉用の漢方薬・トルマリン鉱石・黒曜石・麦飯石・北投石・ゲルマニューム等の鉱石マイナスイオン生成材等）を容器に投入し、小型バスポンプで吸い込みと吹き出しを応用し１０太い筒の中にバスポンプ２４細いパイプ１８の穴から鉱石吹き出し、抵抗を加える事により、鉱石から特有のイオンが搬出されて湯船湯と混合させて、遠赤外線・電磁波等で抗菌作用が発生し、マイナスイオン湯を生成し身体に良い混合湯が出来る装置である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量でお湯圧力が無い為、湯壷の中に置くだけではイオンの発生が不可能である。
【発明の開示】
【発明が解決しようとする課題】
【０００３】  本発明はこのような従来の問題点に着目してなされたものであり、一般の湯壷又は・ホテルの湯壷でイオン発生装置を持ち得る事により、岩塩のミネナル効果と鉱石特有のイオンが発生し、健康と美肌、及び身体の老廃物を多量の発汗により解毒出来る装置である。
【課題を解決するための手段】
【０００４】  上記目的を達成するために、本発明により塩素の含まれた水道水、又人体に与える有害水等を自動的にマイナスイオン・遠赤外線・抗菌作用を発生させて身体に良い湯に変える事が出来る装置を永年の研究と実験で実証が出来た。
トルマリン風呂・サウナ・岩盤浴関係等の温水を自動的に湯壷の中で作成が出来、温熱効果の良い温水風呂に変化する事が出来る装置である。【０００５】  私共の体験から装置の説明は下記の通りです。
直径１０ｃｍの円筒パイプ高さ３０ｃｍのパイプに、（図１）特殊バスポンプ（充電式バッテリー）又は家庭用電源用バスポンプをバイプに取り付け、温水を２０の矢印方向から吸い込み、１９から２２の矢印から吹き出し２１岩塩及び漢方薬を溶かす、又１８の筒穴からトルマリン鉱石・黒曜石に吹き出し圧力で衝撃を加える事により健康に良い鉱石特有のイオンが発生する。
長野県和田峠産黒曜石を利用した特殊黒曜石とトルマリン鉱石及びゲルマニュームを粉末し、９０００度以下でセラミックスボール１５に吸い込み摩擦を与える事により、マイナスイオン・遠赤外線・身体に良い電磁波等を含まれた温熱湯となって、１８穴及び２２穴から吹き出し９トルマリン鉱石・８黒曜石・３岩塩・温泉漢方薬に反応を、お越して湯壷の湯と混合出来る装置である。
【発明の効果】
【０００６】  トルマリン鉱石は人体に効能効果がある薬石として世間で数多くの色々な方法で使用されている鉱石である。特にトルマリン鉱石を飲料水に多く使用されている鉱石をお風呂に使用する事により身体全体の活性化が出来た。【０００７】黒曜石は昔から健康水として黒曜石を色々な方法で加工されて使用している。
特許出願者荻原大が開発した数多くのサウナ関係及び岩盤浴関係に関して黒曜石を使用した事は、類の無い開発である。【０００８】岩塩は昔から健康摩擦療法に使用されている。
ボイラー製造素材に塩分に強いボイラーを使用する事を条件とする。体験実験では年月が掛かるので結果が出ていない。
【発明を実施するための最良の形態】
【０００９】  使用する黒曜石は産地として有名な長野県和田峠産であり、その成分含有率の一例を表１に示す。
【表１】
2008149094.tif 000003
2008149094.tif 000004
【表２】
2008149094.tif 000005
クリスタルピュアソルト成分表
成分表          １００ｇあたり
カルシウム      ４．４ｍｇ
リン            ８．５ｍｇ
マグネシウム    ０．３ｍｇ
鉄              ２７．４ｍｇ
銅              ７６μ
亜鉛            ２８５μｇ
塩素            ６０．１ｇ
ケイ素          ７８ｐｐｍ
フッ素          １．５ｍｇ
ナトリウム      ３８．７ｇ
カリウム        １６１ｍｇ
マンガン        １６９μ
上記の鉱石で永年実験と体験場５万人の入浴者結果と要望で発案された家庭用に手軽に使用出来る装置である。【００１０】  提出日平成１８年９月３日整理番号Ｐ０４０Ｐ０１特許出願人・荻原大・荻原善知の申請と異なる所があります。
【符号の説明】
１．蓋開け取りつけ。
２．蓋。
３．岩塩、又は温泉用漢方薬。
４．吊り金具。
５．コード。
６．コンセント。
７．パンチングメタル。
８．黒曜石。
９．トルマリン。
１０．外周筒。
１１．バスポンプ取り付けコード。
１２．バスポンプ（水中ポンプ）
１３．差込固定カバー。
１４．外周固定器。
１５．ゲルマニューム＋黒曜石＋トルマリン鉱石（ボール）。
１６．お湯  吸い込み口。
１７．チョウツガイ。
１８．吹き出し口。
１９．バスポンプ送り出し口。
２０．お湯吸い込み矢印。
２１．パッチング湯噴出し口。
２２．湯の噴出し口。
２３．パッチング中間仕切。
２４．穴開けパイプ。
【図１】
2008149094.tif 000006
【手続補正書】
【提出日】平成19年2月24日(2007.2.24)
【手続補正１】
【補正対象書類名】明細書
【補正対象項目名】全文
【補正方法】変更
【補正の内容】
【発明の詳細な説明】
【技術分野】
【０００１】  本発明は湯壷の中のお湯を循環しながら、（岩塩ミネナル・温泉用の漢方薬・トルマリン鉱石・黒曜石とリンサンエン鉱物・又は、（麦飯石・北投石・ゲルマニューム鉱石マイナスイオン生成材等）を容器に投入し、小型バスポンプで吸い込みと吹き出しを応用し太い筒の中にバスポンプ２４細いパイプ１８の穴から鉱石に吹き出し、抵抗を加える事により、鉱石から特有のイオンが搬出されて湯船湯と混合させて、遠赤外線・電磁波等で抗菌作用が発生し、又、強力マイナスイオン湯を生成し身体に良いイオン湯が出来る装置である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量でお湯圧力が無い為、湯壷の中に置くだけではイオンの発生が不可能である。
【発明の開示】
【発明が解決しようとする課題】
【０００３】  本発明はこのような従来の問題点に着目してなされたものであり、一般の湯壷又は・ホテルの湯壷でイオン発生装置を持ち得る事により、又、岩塩のミネナル効果と鉱石特有のイオンが発生し、健康と美肌、及び身体の老廃物を多量の発汗により解毒出来る開発装置である。
【課題を解決するための手段】
【０００４】  上記目的を達成するために、本発明により塩素の含まれた水道水、又人体に与える有害水等を自動的にマイナスイオン・遠赤外線・抗菌作用を発生させて身体に良い湯に変える事が出来る装置を永年の研究と実験で実証が出来た。
トルマリン風呂・サウナ・岩盤浴関係等の温水を自動的に湯壷の中で作成が出来、温熱効果の良い温水風呂に変化する事が出来る開発装置である。【０００５】  私共の体験から装置の説明は下記の通りです。
直径１０ｃｍの円筒パイプ高さ３０ｃｍのパイプに、（図１）特殊バスポンプ（充電式バッテリー）又は家庭用電源用バスポンプをバイプに取り付け、温水を２０の矢印方向から吸い込み、１９から２２の矢印から吹き出し２１岩塩及び漢方薬を溶かす、又１８の筒穴からトルマリン鉱石・黒曜石に吹き出し圧力で衝撃を加える事により健康に良い鉱石特有のイオンが発生する。
長野県和田峠産黒曜石を利用した特殊黒曜石とトルマリン鉱石及びリンサンエン鉱物を微粉砕し、９０００度以下でセラミックスボール１５に吸い込み摩擦を与える事により、強力マイナスイオンが（２０秒間・１ｃｍリッポーから８０００個以上発生する鉱石を開発した、又、遠赤外線・身体に良い電磁波等を含まれた温熱湯となって、１８穴及び２２穴から吹き出し９トルマリン鉱石・８黒曜石・３岩塩・又は、温泉漢方薬に反応を、お越して湯壷の湯と混合出来る装置である。
【発明の効果】
【０００６】  トルマリン鉱石は人体に効能効果がある薬石として世間で数多くの色々な方法で使用されている鉱石である。特にトルマリン鉱石を飲料水に多く使用されている鉱石をお風呂に使用する事により身体全体の活性化が出来た。【０００７】黒曜石は昔から健康水として黒曜石を色々な方法で加工されて使用している。特許出願者荻原大が開発した数多くのサウナ関係及び、岩盤浴関係に関して黒曜石を使用した事は、類の無い開発である。【０００８】岩塩は昔から健康摩擦療法に使用されている。
ボイラー製造素材に塩分に強いボイラーを使用する事叉、岩塩の使用についてサビの心配の時は、岩塩不使用を条件とする。体験実験では年月が掛かるので結果が出ていない。
【発明を実施するための最良の形態】
【０００９】  使用する黒曜石は産地として有名な長野県和田峠産であり、その成分含有率の一例を表１に示す。
【表１】
2008149094.tif 000007
【表２】
2008149094.tif 000008
2008149094.tif 000009
クリスタルピュアソルト成分表
成分表          １００ｇあたり
カルシウム      ４．４ｍｇ
リン            ８．５ｍｇ
マグネシウム    ０．３ｍｇ
鉄              ２７．４ｍｇ
銅              ７６μ
亜鉛            ２８５μｇ
塩素            ６０．１ｇ
ケイ素          ７８ｐｐｍ
フッ素          １．５ｍｇ
ナトリウム      ３８．７ｇ
カリウム        １６１ｍｇ
マンガン        １６９μ
上記の鉱石で永年実験と体験場５万人の入浴者結果と要望で発案された家庭用に手軽に使用出来る装置である。【００１０】  提出日平成１８年９月３日整理番号Ｐ０４０Ｐ０１特許出願人・荻原大・荻原善知の申請と異なる所があります。
【図面の簡単な説明】  家庭風呂又は、ホテルの湯壷中にセットして、１２バスポンプ５コンセントコードを電源に接続し始動する、１２バス水中ポンプが稼働し、１５リンサンエン鉱物と黒曜石を微粉砕して、特殊セラミックスボール、又は、薄い板状に無数の穴を開けたセラミックス板から矢印方向に強力マイナスイオン発生湯を吸い上げて、１９バスポンプに送り出し口から、２４穴開けパイプより吹き出し、又、その湯圧力で８黒曜石９トルマリン鉱石に衝撃を加えて強力マイナスイオンが発生する、上部容器にある、３岩塩を溶かし、ミネナルを発生させる、循環式イオン発生装置である。【図１】縦断面図
【符号の説明】
１．蓋開け取りつけ。
２．蓋。
３．岩塩、又は温泉用漢方薬を入れる容器。
４．吊り金具。
５．コード。
６．コンセント。
７．パンチングメタル。
８．黒曜石。
９．トルマリン。
１０．外周の筒。
１１．バスポンプ取り付けコード。
１２．バスポンプ（水中ポンプ）
１３．差込固定カバー。
１４．外周固定器。
１５．リンサンエン鉱物＋黒曜石＋トルマリン鉱石（ボール）。
１６．お湯  吸い込み口。
１７．チョウツガイ。
１８．吹き出し口。
１９．バスポンプから湯の送り出し口。
２０．お湯吸い込み矢印。
２１．パッチング湯噴出し口
２２．湯の噴出し口。
２３．パッチング中間仕切。
２４．穴開きパイプ。
2008149094.tif 000010